(57)【要約】【課題】１つの操作キーに複数の機能を割当てることで、簡便な選択操作を実現するとともに機器に設ける操作キーの数を低減させる。【解決手段】  複数の選択項目を記憶する記憶手段と、操作指示信号に基づいてこの複数の選択項目を切り替える選択項目切替手段と、この選択項目切替手段に昇順又は降順方向に順次切替えを行う指示信号を入力する切替信号入力手段と、前記選択項目切替手段に昇順又は降順方向に順次ジャンプ切替えを行う指示信号を入力するジャンプ切替信号入力手段と、を備える入力装置において、切替信号入力手段から入力された切替信号の切替方向（昇順又は降順方向）データを記憶する手段と、このデータに基づいて、ジャンプ切替信号入力手段から入力された切替信号のジャンプ切替方向を変更する制御手段と、を備える。【選択図】図２
2007304780.tif 000002
【特許請求の範囲】
【請求項１】
複数の選択項目を記憶する記憶手段と、入力された切替信号に応じて前記選択項目を切り替える選択項目切替手段と、昇順又は降順に順次選択項目の切替えを指示する切替信号を前記選択項目切替手段に入力する切替信号入力手段と、所定の単位毎にジャンプして前記複数の選択項目の切替えを指示するジャンプ切替信号を前記選択項目切替手段に入力するジャンプ切替信号入力手段と、を備える入力装置において、
前記切替信号入力手段から入力された切替信号の昇順又は降順方向データを記憶する切替方向記憶手段と、
前記ジャンプ切替信号入力手段から入力されたジャンプ切替信号の入力に対し、前記切替方向記憶手段に記憶された前記昇順方向又は降順方向データに基づいて、前記選択項目切替手段に、所定の単位毎に前記複数の選択項目を昇順又は降順方向にジャンプして切り替えさせる制御手段と、を備えることを特徴とする入力装置。
【請求項２】
請求項１に記載の入力装置において、
一定時間を計時する計時手段を更に備え、
前記制御手段は、前記切替方向記憶手段に記憶させた前記切替信号の昇順又は降順方向データを前記一定時間経過後に消去することを特徴とする入力装置。
【請求項３】
請求項１又は２に記載の入力装置において、
前記入力装置の本体部と有線又は無線で接続された遠隔操作部を更に備え、
前記切替信号入力手段及び／又は前記ジャンプ切替信号入力手段を、前記遠隔操作部に備えることを特徴とする入力装置。
【発明の詳細な説明】
【技術分野】
【０００１】
本発明は、複数の選択項目から所定の選択項目を選択する際、１つの操作キーに複数の機能を割り当てることで、簡便な選択操作を実現するとともに機器に設ける操作キーの数を低減させることのできる入力装置に関する。
【背景技術】
【０００２】
近年、電機・電子機器の技術の発達によりその機能が多様化している。このような多様化された機能をより簡便に利用するため、電機・電子機器の操作を行う入力装置に関する研究・開発が盛んに行われている。
【０００３】
例えば、特許文献１には、表示装置上に表示された複数の選択項目を選択／指定する入力装置に関する発明が開示されている。この入力装置は、ユーザの手によって回転させるジョグつまみの回転角度を検出するロータリーエンコーダ部が設けられ、表示装置上に表示された複数の選択項目から任意の１つを選択することができるようになっている。またロータリーエンコーダ部は、回転軸方向への移動が可能とされ、押下をすることでボタン型スイッチとして機能し、選択した項目を決定することができるように構成されている。即ち操作する手を入力装置から放すことなく、項目の選択と決定を観念的に操作することができるようになっている。
【０００４】
ところで、近年の電機・電子機器の技術の向上により、上述した選択項目の数が膨大な数となるものもある。例えば、送受信を可能とする周波数の帯域が広い無線通信機を例に説明する。一般に、無線通信機は、所定の周波数に設定する際、設定用の周波数切替キー（例えばエンコーダ）を操作するようになっている。しかしながら、使用する度に受信信号の有る（又はユーザが所望する）周波数を設定するために周波数切替キーを操作し続けるのは煩雑である。そこで、近年では所定の周波数を所定のメモリチャンネルと対応付けて記憶したメモリチャンネル機能（以下、「メモリチャンネルモード」という。）を有するのが一般的となっている。
【０００５】
「メモリチャンネルモード」は、予め所定の周波数と所定のメモリチャンネルとを対応付けて記憶しておき、無線通信機の使用時に周波数切替キーを操作すると、次のメモリチャンネルに対応付けられた周波数を自動的にセットすることができるという機能である。この機能により、ユーザは所望する周波数への切替えを瞬時に行うことができる。例えば、記憶させたメモリチャンネルが、012ch、013ch、051ch、101ch、167ch、503ch、505ch、600ch、707ch、708ch、812chであったとすると、周波数切替キーの操作を繰り返す度に「012ch→013ch→051ch→101ch・・・」といった具合にメモリチャンネルが順次昇順方向に切り替わるようになっている。反対に、周波数切替キーを逆方向に操作すれば、「012ch→812ch→708ch→707ch・・・」といった具合にメモリチャンネルが順次降順方向に切り替わるようになっている。
【０００６】
また、「メモリチャンネルモード」により所望するメモリチャンネルの設定操作が簡便なものとなるが、半導体メモリに記憶させたメモリチャンネルの数が増加すると、所望する周波数の設定操作が煩雑となる虞がある。即ち、半導体メモリに膨大な数のメモリチャンネルが記憶されると、ユーザは所望するメモリチャンネルが設定されるまでエンコーダを何度も操作し続けなければならないという事態も考えられる。このため、近年では、昇順方向にジャンプしてメモリチャンネルの設定を行う100Upキーや降順方向にジャンプしてメモリチャンネルの設定を行う100Downキー等のいわゆるジャンプ機能が設けられた無線通信機が開発されている。これらのキーを操作（例えば、押下）すると「（100Upキーの場合）012ch→101ch→503ch→600ch・・・」といった具合に、各メモリチャンネルの１００の位を基準として、メモリチャンネルを昇順方向にジャンプさせて設定することができる。
【０００７】
図５に示すフロー図を用いて、従来の無線通信機の動作について説明する。以下の説明では、特に、「メモリチャンネルモード」の起動時にエンコーダ、100Upキー、100Downキーの操作に関する処理について述べる。また、メモリチャンネルは揮発又は不揮発性の半導体メモリに予め記憶されているものとし、記憶されたメモリチャンネルは、「012ch、013ch、051ch、101ch、167ch、503ch、505ch、600ch、707ch、708ch、812ch」であるものとする。
なお、以下の処理はプログラムの指示に基づいて無線通信機の制御部たるマイクロコンピュータ（以下、「マイコン」という。）によって行われる。
【０００８】
ステップＳ４０１で、マイコンはユーザからの操作指示信号の入力を受けて予め記憶されたメモリチャンネルモードのプログラムを読み出し、メモリチャンネルモードを起動する処理を行う。
ステップＳ４０２で、マイコンは、無線通信機に設けられた表示装置上に登録されたメモリチャンネルの最小の番号（本従来例の説明では、012ch）を表示する。
【０００９】
ステップＳ４０３で、マイコンは、エンコーダからの入力があるか否かを判断する。マイコンは、エンコーダから入力を検出するとステップＳ４０４に進む（ステップＳ４０３：ＹＥＳ）。逆に、マイコンはエンコーダからの入力を検出しない場合、ステップＳ４０７に進む。
【００１０】
ステップＳ４０４で、マイコンは、ステップＳ４０３でエンコーダから入力された操作指示信号が昇順方向であるか降順方向であるかを判断する。マイコンは昇順方向であると判断する場合、ステップＳ４０５に進み（ステップＳ４０４：「昇」）、降順方向であると判断する場合ステップＳ４０６に進む（ステップＳ４０４：「降」）。
【００１１】
ステップＳ４０５で、マイコンは、エンコーダから入力された操作指示信号に応じて半導体メモリからメモリチャンネルを昇順方向に検索する。その後、操作指示信号の入力が停止すると、該当するメモリチャンネルを受信（又は送信）周波数として設定する。
逆にステップＳ４０６では、マイコンは、エンコーダから入力される操作指示信号に応じてチャンネルメモリを降順方向に検索する。その後、操作指示信号の入力が停止すると、該当するメモリチャンネルを受信（又は送信）周波数として設定する。
【００１２】
ステップＳ４０７で、マイコンはキーからの入力があるか否かを判断する。マイコンは、入力があると判断する場合、ステップＳ４０８に進む（ステップＳ４０７：ＹＥＳ）。入力がないと判断する場合、ステップＳ４０２に戻る（ステップＳ４０７：ＮＯ）。
【００１３】
ステップＳ４０８で、マイコンは、ステップＳ４０７で入力されたキーからの信号が100Upキーから入力された信号であるか否かを判断する。マイコンは、当該信号が100Upキーからのものであると判断する場合、ステップＳ４０９に進む（ステップＳ４０８：ＹＥＳ）。逆に、100Upキーからのものでないと判断する場合、ステップＳ４１０に進む（ステップＳ４０８：ＮＯ）。
【００１４】
ステップＳ４０９で、マイコンは、メモリチャンネルを昇順方向に100Up検索（メモリチャンネルの１００の位を基準として昇順方向にジャンプ検索）する。その後、ステップＳ４０２に戻り、100Up検索により検索されたメモリチャンネルを表示モニタ上に表示する処理を行う。
【００１５】
ステップＳ４１０で、マイコンは、ステップＳ４０７で入力されたキーからの信号が100Downキーから入力された信号であるか否かの判断を行う。100Downキーから入力された信号である場合、ステップＳ４１１に進む（ステップＳ４１０：ＹＥＳ）。逆に、100Downキーから入力された信号でないと判断する場合、ステップＳ４１２に進む（ステップＳ４１０：ＮＯ）。
【００１６】
ステップＳ４１１で、マイコンは、メモリチャンネルを降順方向に100Down検索（メモリチャンネルの１００の位を基準として降順方向にジャンプ検索）する。その後、ステップＳ４０２に戻り、100Down検索により検索されたメモリチャンネルを表示モニタ上に表示する処理を行う。
【００１７】
ステップＳ４１２で、マイコンは、ステップＳ４０７で入力されたキーからの信号がメモリチャンネルモードの終了を指示する信号であるか否かを判断する。マイコンは、メモリチャンネルモード終了の指示信号であると判断する場合、ステップＳ４１３に進み（ステップＳ４１２：ＹＥＳ）、メモリチャンネルモードを終了する。逆に、メモリチャンネルモード終了の指示信号でないと判断する場合、ステップＳ４１４に進み（ステップＳ４１２：ＮＯ）、当該キーに割り当てられた処理を実行する。
以上が、従来の無線通信機での「メモリチャンネルモード」におけるエンコーダ、100Upキー、100Downキーの操作に関する処理の概要である。
【特許文献１】特開平７−２０１２５６号公報
【発明の開示】
【発明が解決しようとする課題】
【００１８】
しかしながら、近年の電機・電子機器への小型化の要請から、機器に装備できるキーの数は制限されるという問題がある。特に、無線通信機、携帯電話機、ＰＤＡ（Personal Digital Assistants）及びノート型ＰＣ等のモバイル機器では、装置本体上にレイアウト可能なキーの数が制限される傾向が強く、装置の多機能化に応じて上述した100Upキーや100Downキーのような同様の機能に対して、夫々別のキーを割り当てることは非効率的である。また、キー等の数が増加すれば、その分使い勝手が悪化する虞もある。
【００１９】
本発明は、上記課題を解決するためになされたものであり、その目的とするところは、複数の選択項目から所定の選択項目を選択する際、１つの操作キーに複数の機能を割り当てることで簡便な選択操作を実現するとともに機器に設ける操作キーの数を低減させ、多様化する電機・電子機器の機能及び小型化の要請を満足することである。
【課題を解決するための手段】
【００２０】
上記課題を解決するため、請求項１に記載の発明は、複数の選択項目を記憶する記憶手段と、入力された切替信号に応じて前記選択項目を切り替える選択項目切替手段と、昇順又は降順に順次選択項目の切替えを指示する切替信号を前記選択項目切替手段に入力する切替信号入力手段と、所定の単位毎にジャンプして前記複数の選択項目の切替えを指示するジャンプ切替信号を前記選択項目切替手段に入力するジャンプ切替信号入力手段と、を備える入力装置において、
前記切替信号入力手段から入力された切替信号の昇順又は降順方向データを記憶する切替方向記憶手段と、
前記ジャンプ切替信号入力手段から入力されたジャンプ切替信号の入力に対し、前記切替方向記憶手段に記憶された前記昇順方向又は降順方向データに基づいて、前記選択項目切替手段に、所定の単位毎に前記複数の選択項目を昇順又は降順方向にジャンプして切り替えさせる制御手段と、を備えることを特徴とする。
【００２１】
請求項２に記載の発明は、請求項１に記載の発明において一定時間を計時する計時手段を更に備え、前記制御手段は、前記切替方向記憶手段に記憶させた前記切替信号の昇順又は降順方向データを前記一定時間経過後に消去することを特徴とする。
【００２２】
請求項３に記載の発明は、請求項１又は２に記載の入力装置において、
前記入力装置の本体部と有線又は無線で接続された遠隔操作部を更に備え、
前記切替信号入力手段及び／又は前記ジャンプ切替信号入力手段を、前記遠隔操作部に備えることを特徴とする。
【発明の効果】
【００２３】
本発明によれば、切替信号入力手段の切替方向（昇順又は降順方向）を切替信号記憶手段に記憶し、この記憶された昇順方向又は降順方向に基づいてジャンプ切替信号入力手段の切替方向（昇順又は降順方向）を決定するため、ジャンプ切替信号入力手段に昇順方向へのジャンプ及び降順方向へのジャンプという２つの機能を割り当てることができる。これによりキーの数を低減させることができる。
また、ジャンプ切替信号入力手段のジャンプ方向と、切替信号入力手段の切替方向とが同じ方向となるため、簡便で且つ観念的な操作を実現することができる。
【発明を実施するための最良の形態】
【００２４】
〔第１の実施形態〕
次に、図を用いて本発明を実施するための第１の実施形態について説明する。第１の形態では、本発明を無線通信機に適用した例について説明する。図１のブロック図に、本発明を適用した無線通信機１００の機能的構成を示す。無線通信機１００は、マイコン１、ＲＡＭ２、記憶部３、表示装置４、操作部５、送受信回路６、アンテナ７、スピーカ８、マイク９、エンコーダ１０、100Upキー１１、メモリチャンネルモード切替キー１２、決定キー１３、チャンネルメモリ１５、方向メモリ２０、ボリュームキー３０及びバックライトキー３１から構成される。
【００２５】
送受信回路６は、無線通信機１００の無線通信機能を司る通信機能部である。送受信回路６は、アンテナ７を介して所定の周波数の電波（搬送波）を捉えるチューナ、捉えた電波を所定の音声信号に変調するデコーダ及び増幅器等から構成される。増幅器を介して増幅された音声信号はスピーカ８を介して音声として出力される。また、送信時には、マイク９を介して入力された音声を変調して音声信号を生成し、チューナにより所定の周波数の搬送波としてアンテナ７を介して送信する。これらの無線通信処理はプログラムの指示に基づいてマイコン１により制御される。
【００２６】
マイコン１は、ＣＰＵやＲＯＭを備え、ＲＯＭ及び／又は記憶部３に記憶されたオペレーションプログラム及びアプリケーションプログラムを読み出し、ＲＡＭ２に展開して、上述の無線通信処理を始め無線通信機１００で行われる各種処理の全体制御を行う。また、無線通信機１００には、３つのモードが設けられている。１つは「通常モード」であり、他の２つは「メモリチャンネルモード」と「メモリチャンネル登録モード」とである。「通常モード」において、マイコン１は、送受信回路６の周波数の切替えに際し、エンコーダ１０から入力された操作指示信号を検出すると送受信回路６に周波数の切替指示信号を送信し、アンテナ７を介して受信する電波の周波数を１つずつ順次切り替えさせる処理を行う。ユーザは、受信信号の有る（又はユーザが所望する）周波数を検出するまでエンコーダ１０を回転し続けることで所望する周波数を設定することができるようになっている。
【００２７】
「メモリチャンネルモード」は、予めユーザの設定により所定の周波数を所定のメモリチャンネルと対応付けて記憶部３のチャンネルメモリ１５に記憶（登録）しておき、後に、ユーザが周波数の切替えを行う場合、マイコン１が、記憶部３のチャンネルメモリ１５内に記憶（登録）させたメモリチャンネルデータを読み出し、送受信回路６に所定の周波数の設定を行う機能である。
【００２８】
「メモリチャンネル登録モード」は、上記「メモリチャンネルモード」でメモリチャンネルの切替えを可能とするために、ユーザが所定の周波数と所定のメモリチャンネルの対応付けを行い記憶部３のチャンネルメモリ１５に記憶（登録）させる設定処理を行う機能である。
【００２９】
第１の実施形態では、本発明を「メモリチャンネルモード」に適用した例について説明する。「メモリチャンネルモード」では、エンコーダ１０の回転方向を記憶し、その後、100Upキー１１が操作されると、記憶したエンコーダ１０の回転方向（昇順方向又は降順方向）と同じ方向にメモリチャンネルを昇順又は降順方向にジャンプして検索する処理を行うことを特徴とする。この記憶したエンコーダ１０の回転方向に応じてメモリチャンネルをジャンプして検索する処理の具体的な処理手順については後述する。
【００３０】
ＲＡＭ２は、揮発又は不揮発性の半導体素子から構成されるメモリである。オペレーションプログラムやアプリケーションプログラムが展開されワークエリアとして機能する。第１の実施形態では、「メモリチャンネルモード」においてエンコーダ１０の回転方向を記憶する方向メモリ２０を記憶領域として備える。
【００３１】
記憶部３は、不揮発性の半導体素子、光学的又は磁気的な記録媒体等から構成されるメモリ装置である。記憶部３には、オペレーションプログラムを始めとした各種のプログラムや各種のデータが記憶される。また、予めユーザの操作により、所定の周波数と所定のメモリチャンネルとが対応付けられてチャンネルメモリ１５に記憶されている。なお、第１の実施形態では、所定の周波数との対応付けがなされたメモリチャンネルとして012ch、013ch、051ch、101ch、167ch、503ch、505ch、600ch、707ch、708ch及び812chが設定されているものとする。
【００３２】
表示装置４は、ＬＣＤ（Liquid Crystal Display）や有機ＥＬ（Electro Luminescent）ディスプレイ等から構成される。表示装置４には、現在のメモリチャンネル番号（例えば、012chや707ch等）や各種設定・操作に関する情報が表示される。また、メモリチャンネルの切替え時には、後述するエンコーダ１０や100Upキー１１の操作に応じてメモリチャンネルの表示が順次切り替わるようになっている。
【００３３】
操作部５は、ユーザの操作によりマイコン１に操作指示信号を送信するユーザインターフェースである。エンコーダ１０、100Upキー１１、メモリチャンネルモード切替キー１２、決定キー１３、ボリュームキー３０及びバックライトキー３１が設けられる。エンコーダ１０は、ダイヤル及びそれに接続されたロータリーエンコーダ等から構成される。ユーザの操作によりダイヤルが時計回り又は反時計回りに回転されると、ロータリーエンコーダがこの回転を検出し電気信号に変換してマイコン１に操作指示信号が入力されるようになっている。マイコン１は、この操作指示信号の入力を受けると、送受信回路に対して設定する周波数の切替えを指示する指示信号を順次送信するようになっている。「メモリチャンネルモード」では、ダイヤルを時計回りに回転させるとメモリチャンネルが昇順方向に切り替わり、反時計回りに回転させると降順方向に切り替わるようになっている。従って、ダイヤルを時計回りに回転させると「012ch→013ch→051ch・・・」といった具合に昇順方向にメモリチャンネルが切り替わり、反時計回りに回転させると「012ch→812ch→708ch・・・」といった具合に降順方向にメモリチャンネルが切り替わることとなる。
【００３４】
なお、本実施の形態では、エンコーダ１０を適用した例について説明しているが、メモリチャンネルの切替キーとしてプッシュ釦（昇順用と降順用）を適用してもよいし、各種のレバーを適用してもよい。ユーザによるメモリチャンネルの切換操作が昇順であるか降順であるかを検出できれば種々の方式を適用することができる。
【００３５】
100Upキー１１は、プッシュ釦から構成される。100Upキー１１は、「メモリチャンネルモード」において、エンコーダ１０と同様にメモリチャンネルの切替えを行うキーであり、メモリチャンネルのチャンネル番号の１００の位を基準としてジャンプして切替え設定を行うキーである。即ち、ユーザにより100Upキー１１が押下されると、マイコン１は、チャンネルメモリ１５に記憶されたメモリチャンネルのうち１００の位を基準としてメモリチャンネルを読み出し（検索）、「012ch→101ch→503ch→600ch・・・」といった具合にメモリチャンネルの切替えを行うことができるようになっている。
更に、100Upキー１１は、「メモリチャンネルモード」において、直前までのエンコーダ１０の回転方向に応じてメモリチャンネルをジャンプして検索する方向の切替えを行うキーとしての機能が割り当てられている。例えば、「メモリチャンネルモード」において、エンコーダ１０を反時計回りに回転させてメモリチャンネルを降順に順次切り替えていたとする。その後、100Upキー１１を押下すると、「600ch→503ch→101ch→012ch・・・」といった具合に各メモリチャンネルのチャンネル番号の１００の位を基準としてメモリチャンネルを降順方向に切り替えるようになっている。
【００３６】
なお、第１の実施形態では、100Upキー１１というメモリチャンネルの１００の位を基準の単位としてジャンプするジャンプ機能を有する無線通信機１００を例としているが、ジャンプの基準となる単位はこれに限定されるものではなく、機器の設定や仕様により本発明を種々の構成を有するものに適用することができる。例えば、メモリチャンネルの１０００の位や１０の位を基準の単位としてジャンプさせるものや、５チャンネル分あるいは１０チャンネル分といったチャンネルの個数を基準の単位としてジャンプさせるものであってもよい。また、このような設定は、予め製造者により規定されてもよいしユーザにより設定できるようにしてもよい。
【００３７】
メモリチャンネルモード切替キー１２は、「通常モード」、「メモリチャンネルモード」及び「メモリチャンネル登録モード」といったモード切替えを行う切替キーである。メモリチャンネルモード切替キー１２の押下を繰り返す度に、「通常モード」と「メモリチャンネルモード」との切替えを行うことができるように構成され、所定時間（例えば１から２秒）以上、押下し続けること（いわゆる「長押し」）で、後述する「メモリチャンネル登録モード」に切替えることができるように構成されている。
【００３８】
ボリュームキー３０は、スピーカ８から出力される音声等の音量を調節するキーであり、バックライトキー３１は、表示装置４のバックライトのON／OFFを切り替えるキーである。
【００３９】
以上の構成を有する無線通信機１００の動作について、図２に示すフロー図を用いて説明する。なお、チャンネルメモリ１５には、メモリチャンネルとして「012ch、013ch、051ch、101ch、167ch、503ch、505ch、600ch、707ch、708ch及び812ch」が記憶されているものとし、100Upキー１１のジャンプによる検索方向は、初期値として昇順方向に設定されているものとする。また、以下の処理は、プログラムの指示に基づいてマイコン１により処理されるものである。
【００４０】
ステップＳ１０１で、マイコン１は、ユーザがメモリチャンネルモード切替キー１２を押下することにより送信されたメモリチャンネルモードの起動動作信号を受信し「メモリチャンネルモード」を起動する。
ステップＳ１０２で、マイコン１は、記憶部３のチャンネルメモリ１５に記憶されたメモリチャンネル番号のうち最小の番号に割り当てられたメモリチャンネル（012ch）を読み出し、表示装置４に当該メモリチャンネル番号の表示を行う。
なお、第１の実施形態では、最小のチャンネル番号メモリチャンネル（例えば、012ch）をデフォルトとしているが、前回のメモリチャンネルモードで最後に使用したメモリチャンネルの番号を表示するようにしてもよい。
【００４１】
ステップＳ１０３で、マイコン１は、エンコーダ１０から操作指示信号の入力があるか否かを判断する。エンコーダ１０から操作指示信号の入力があると判断する場合、ステップＳ１０４に進む。逆に、マイコン１は、エンコーダ１０から操作指示信号の入力がないと判断する場合、ステップＳ１０８に進む。
【００４２】
ステップＳ１０４で、マイコン１は、エンコーダ１０から入力された操作指示信号が昇順方向（時計回り）の操作指示信号であるか、降順方向（反時計回り）の操作指示信号であるかの判断を行う。マイコン１は、昇順方向の操作指示信号であると判断する場合、ステップＳ１０５に進む（ステップＳ１０４：「昇」）。逆に、降順方向の操作指示信号であると判断する場合、ステップＳ１０６に進む（ステップＳ１０４：「降」）。
【００４３】
ステップＳ１０５で、マイコン１は、チャンネルメモリ１５に記憶されたメモリチャンネルを昇順方向に検索し、読み出す。
逆に、ステップＳ１０６では、マイコン１は、チャンネルメモリ１５に記憶されたメモリチャンネルを降順方向に検索し、読み出す。
【００４４】
ステップＳ１０７で、マイコン１は、エンコーダ１０の検索方向即ち昇順方向又は降順方向の別をＲＡＭ２の方向メモリ２０に一時的に記憶する。より詳細には、方向メモリ２０内の昇順方向及び降順方向に区別されたテーブル（不図示）上で、該当する方向にフラグを立てる。
【００４５】
ステップＳ１０８で、マイコン１は、キーからの入力があるか否かを判断する。マイコン１は、キーからの入力があると判断する場合、ステップＳ１０９に進む（ステップＳ１０８：ＹＥＳ）。逆に、キーからの入力がないと判断する場合、ステップＳ１０２に戻り、ステップＳ１０５又はステップＳ１０６で読み出したメモリチャンネルの番号を表示装置４に表示する処理を行う（ステップＳ１０８：ＮＯ）。
【００４６】
ステップＳ１０９で、マイコン１は、ステップＳ１０８で判断を行ったキーからの入力が、100Upキー１１からの入力であるか否かを判断する。マイコン１は、入力が100Upキー１１のものであると判断する場合、ステップＳ１１０に進む（ステップＳ１０９：ＹＥＳ）。逆に、マイコン１は、入力が100Upキー１１のものでないと判断する場合、ステップＳ１１３に進む（ステップＳ１０９：ＮＯ）。
【００４７】
ステップＳ１１０で、マイコン１は、方向メモリ２０を参照し、検索方向が昇順方向であるか降順方向であるかを判断する。マイコン１は、昇順方向であると判断する場合、ステップＳ１１１に進み（ステップＳ１１０：「昇」）、メモリチャンネルを昇順方向にジャンプして検索を行う。逆に、マイコン１は、切替え方向が降順方向であると判断する場合、ステップＳ１１２に進み（ステップＳ１１０：「降」）、メモリチャンネルを降順方向にジャンプして検索する。
その後、マイコン１は、ステップＳ１０２に戻り、ステップＳ１１１又は１１２で行われたジャンプ検索により読み出されたメモリチャンネルの番号を表示装置４に表示する処理を行う。
【００４８】
一方、ステップＳ１０９で入力が100Upキー１１からのものではないと判断したマイコン１は、ステップＳ１１３で、当該入力がメモリチャンネルモードの終了を指示する信号であるか否かを判断する。マイコン１は、入力がメモリチャンネルモード終了の指示信号であると判断する場合、ステップＳ１１４に進み（ステップＳ１１３：ＹＥＳ）、メモリチャンネルモードを終了する。
その後、ステップＳ１１５で、マイコン１は、ステップＳ１０７で一時的に記憶した方向メモリ２０を初期値（昇順方向）に設定し直す処理を行う。
【００４９】
逆に、マイコン１は、ステップＳ１１３で、入力がチャンネルモード終了の指示信号でないと判断する場合、ステップＳ１１６に進み（ステップＳ１１３：ＮＯ）、当該キー（例えば、ボリュームキー３０やバックライトキー３１）に割り当てられた処理を実行する。
その後、ステップＳ１０２に戻る。
【００５０】
このように、本実施の形態における無線通信機１００によれば、エンコーダ１０の検索方向を記憶し、その後100Upキー１１からの入力信号に対して、記憶された検索方向に基づいて昇順方向又は降順方向にジャンプして検索を行うため、100Upキー１１に２つの機能を割り当てることができる。このため、無線通信機１００の入力キーの数を低減させることができる。
【００５１】
また、100Upキー１１が昇順又は降順方向にジャンプ検索を行う際の基準となる方向メモリ２０の検索方向は、従前のエンコーダ１０の検索方向と同じであるため、操作を簡便且つ観念的に行うことができる。
【００５２】
〔第２実施形態〕
次に、本発明を実施するための第２の実施形態について説明する。上述した第１の実施形態では、本発明を無線通信機１００の「メモリチャンネルモード」に適用した例について説明した。第２の実施形態では、本発明を「メモリチャンネル登録モード」に適用した例について説明する。「メモリチャンネル登録モード」は、特定の周波数をメモリチャンネルとして設定登録するモードである。
以下に、図１及び図３を用いて、本発明の「メモリチャンネル登録モード」への適用例を説明する。なお、第２の実施形態において、無線通信機１００の各機能部は以下の点で第１の実施形態と異なる。
【００５３】
先ず、エンコーダ１０は、操作することで周波数を順次切り替える機能部となる。例えば、周波数として「400MHz」が設定され、表示装置４には「400MHｚ」と表示されているとする。ユーザがエンコーダ１０を操作（回転）させると、周波数が「401Mhz→402MHｚ→403Mhz・・・」といった具合に、１MHｚずつ設定変更され、また、その様が表示装置４に表示されるようになっている。また、エンコーダ１０を時計回りに回転させると周波数が昇順に切り替わり、反時計回りに回転させると周波数が降順に切り替わるようになっている。
更に、エンコーダ１０は、周波数の切替えを行う他に、周波数と対応付けられるメモリチャンネルを切り替える機能部ともなる。即ち、周波数とメモリチャンネルとの対応はユーザが任意に選択できるようになっている。例えば、「400MHz」の周波数をメモリチャンネルの「001ch」、「050ch」又は「243ch」等、ユーザが所望するいずれか１つのチャンネルに割り当てることができるようになっている。なお、エンコーダを時計回りに回転させるとメモリチャンネルが「1ch→2ch→3ch→・・・100ch→101ch・・・500ch・・・600ch・・・」といった具合に昇順に順次切り替わり、反時計回りに回転させると逆に降順に順次切り替わるようになっている。
【００５４】
100Upキー１１は、所定の周波数に対応付けるメモリチャンネルを選択する際に、所定単位でメモリチャンネルを切り上げ又は切り下げして切替えを行う機能部となる。第２の実施形態では、押下を繰り返す度に、方向メモリ２０に記憶された方向メモリ２０の検索方向に基づいてメモリチャンネルが100ch分ずつ切り上がったり、逆に100chずつきり下がったりするように設定されている。即ち、エンコーダ１０のみでメモリチャンネルの「001ch」から「100ch」に切り替える場合、ユーザはかなり長い間エンコーダを回し続けなければならず、煩わしくなる虞もある。そこで、100Upキー１１を操作することで、「001ch」から「100ch」への切替えを１回の操作で行うことができるようになる。なお、ジャンプする単位は適宜設計変更することができ、第１の実施形態と同様に無線通信機１００の製造者やユーザによって設定できるようにしてもよい。
【００５５】
決定キー１３は、「メモリチャンネル登録モード」での設定登録処理において使用するキーであり、プッシュボタンから構成されている。「メモリチャンネルモード登録モード」では、先ず、エンコーダ１０を使用して所定の周波数に切替えた後、この周波数に対応付けるメモリチャンネルをエンコーダ１０や100Upキー１１を使用して選択する。その後、決定キー１３を押下することで、所定の周波数に対して選択されたメモリチャンネルが割り当て（設定）られるようになっている。
なお、決定キーをエンコーダ１０と一体に構成してもよい。即ち、エンコーダ１０を回転軸方向に押下可能に構成し、この回転軸の先にプッシュボタンを設ける構成としてもよい。無線通信機１００の操作キーの数を軽減することができ有効である。
以上が第１の実施形態の無線通信機１００との相違点である。
【００５６】
次に、「メモリチャンネル登録モード」における無線通信機１００の動作について図３に示すフロー図を用いて説明する。
以下の処理は、プログラムの指示に従いマイコン１によって行われる。
【００５７】
ステップＳ２０１で、マイコン１は、ユーザによってメモリチャンネルモード切替キー１２が長押しされたことを検出し、メモリチャンネル登録モードを起動する。このメモリチャンネル登録モードの起動時に設定されている周波数（仮に「400MHｚ」とする。）が、所定のメモリチャンネルと対応付けられることとなる。
【００５８】
ステップＳ２０２で、マイコン１は、初期値として設定されているメモリチャンネル（仮に「001ch」とする。）を表示装置４に表示させる。
ステップＳ２０３で、マイコン１は、エンコーダ１０から操作指示信号の入力があるか否かを判断する。エンコーダ１０から操作指示信号の入力があると判断する場合、ステップＳ２０４に進む（ステップＳ２０３：ＹＥＳ）。逆に、マイコン１は、エンコーダ１０から操作指示信号の入力がないと判断する場合、ステップＳ２０８に進む（ステップＳ２０３：ＮＯ）。
【００５９】
ステップＳ２０４で、マイコン１は、エンコーダ１０から入力された操作指示信号が昇順方向（時計回り）の操作指示信号であるか、降順方向（反時計回り）の操作指示信号であるかの判断を行う。マイコン１は、昇順方向の操作指示信号であると判断する場合、ステップＳ２０５に進む（ステップＳ２０４：「昇」）。逆に、降順方向の操作指示信号であると判断する場合、ステップＳ２０６に進む（ステップＳ２０４：「降」）。
【００６０】
ステップＳ２０５で、マイコン１は、メモリチャンネルを昇順方向に検索し、読み出す。
逆に、ステップＳ２０６では、マイコン１は、メモリチャンネルを降順方向に検索し、読み出す。
【００６１】
ステップＳ２０７で、マイコン１は、エンコーダ１０の検索方向即ち昇順方向又は降順方向の別をＲＡＭ２の方向メモリ２０に一時的に記憶する。即ち、方向メモリ２０内の昇順方向及び降順方向に区別されたテーブル（不図示）上で、該当する方向にフラグを立てる。
【００６２】
ステップＳ２０８で、マイコン１は、キーからの入力があるか否かを判断する。マイコン１は、キーからの入力があると判断する場合、ステップＳ２０９に進む（ステップＳ２０８：ＹＥＳ）。逆に、キーからの入力がないと判断する場合、ステップＳ２０２に戻り、ステップＳ２０５又はステップＳ２０６で読み出したメモリチャンネルの番号を表示装置４に表示する処理を行う（ステップＳ２０８：ＮＯ）。
【００６３】
ステップＳ２０９で、マイコン１は、ステップＳ２０８で判断を行ったキーからの入力が、100Upキー１１からの入力であるか否かを判断する。マイコン１は、入力が100Upキー１１のものであると判断する場合、ステップＳ２１０に進む（ステップＳ２０９：ＹＥＳ）。逆に、マイコン１は、入力が100Upキー１１のものでないと判断する場合、ステップＳ２１３に進む（ステップＳ２０９：ＮＯ）。
【００６４】
ステップＳ２１０で、マイコン１は、方向メモリ２０を参照し、検索方向が昇順方向であるか降順方向であるかを判断する。マイコン１は、昇順方向であると判断する場合、ステップＳ２１１に進み（ステップＳ２１０：「昇」）、メモリチャンネルを昇順方向に100ch単位で切り上げ、検索を行う。逆に、マイコン１は、切替え方向が降順方向であると判断する場合、ステップＳ２１２に進み（ステップＳ２１０：「降」）、メモリチャンネルを降順方向に100ch単位で切り下げて、検索する。
その後、マイコン１は、ステップＳ２０２に戻り、ステップＳ２１１又は２１２で行われたジャンプ検索により読み出されたメモリチャンネルの番号を表示装置４に表示する処理を行う。
【００６５】
一方、ステップＳ２０９で入力が100Upキー１１からのものではないと判断したマイコン１は、ステップＳ２１３で、当該入力が決定キー１３からの入力であるか否かの判断を行う。マイコン１は、決定キー１３からの入力であると判断する場合は、ステップＳ２１４に進み（ステップＳ２１３：ＹＥＳ）、記憶部３のチャンネルメモリ１５に周波数とメモリチャンネルとを対応付けて記憶する。その後、ステップＳ２１５でメモリチャンネル登録モードを終了し、ステップＳ２０７で記憶した方向メモリ２０を初期値（昇順）に設定する。
逆に、マイコン１は、ステップＳ２０８のキーからの入力が決定キー１３からの入力でないと判断する場合、ステップＳ２１７に進む（ステップＳ２１３：ＮＯ）。
【００６６】
ステップＳ２１７で、マイコン１は、メモリチャンネルモードの終了を指示する信号であるか否かを判断する。マイコン１は、入力がメモリチャンネルモード終了の指示信号であると判断する場合、ステップＳ２１５に進み（ステップＳ２１７：ＹＥＳ）、メモリチャンネルモードを終了する。
その後、ステップＳ２１６で、マイコン１は、ステップＳ２０７で一時的に記憶した方向メモリ２０を初期値（昇順）に設定し直す処理を行う。
【００６７】
逆に、マイコン１は、ステップＳ２１７で、入力がチャンネルモード終了の指示信号でないと判断する場合、ステップＳ２１８に進み（ステップＳ２１７：ＮＯ）、当該キー（例えば、ボリュームキー３０やバックライトキー３１）に割り当てられた処理を実行する。その後、ステップＳ２０２に戻る。
【００６８】
このように、第２の実施形態における無線通信機１００によれば、エンコーダ１０によるメモリチャンネルの検索方向を記憶し、その後100Upキー１１からの入力信号に対して、記憶された検索方向に基づいて昇順方向又は降順方向に切り上げ又は切り下げを行うため、100Upキー１１に２つの機能を割り当てることができる。このため、無線通信機１００の入力キーの数を低減させることができる。
【００６９】
また、100Upキー１１が昇順又は降順方向に切り上げ又は切り下げを行う際の基準となる方向メモリ２０の検索方向は、従前のエンコーダ１０の検索方向と同じであるため、操作を簡便且つ観念的に行うことができる。
【００７０】
以上にように、本発明を「メモリチャンネル登録モード」に適用しても十分にその効果を発揮することができる。
【００７１】
〔第３の実施形態〕
次に、本発明を実施するための第３の実施形態について説明する。第３の実施形態における無線通信機１００では、エンコーダ１０を操作することでＲＡＭ２に記憶した方向メモリ２０を、タイマ（不図示）で計時した所定時間（例えば、２〜３秒）が経過すると取り消し、その後、100Upキー１１の検索方向をデフォルトとしての昇順方向に自動的に戻すように構成した例について説明する。
この第３の実施形態で説明する方向メモリ２０を所定時間後に取消すという実施形態は、上述の「メモリチャンネルモード」及び「メモリチャンネル登録モード」のいずれのモードにも適用することができる。以下の説明では、第１の実施形態で説明した「メモリチャンネルモード」に適用する例について述べる。なお、無線通信機１００の各機能部の構成は、第１の実施形態における無線通信機１００と同様である。
【００７２】
図４に示すフロー図を用いて、第３の実施形態における無線通信機１００の動作について説明する。なお、100Upキー１１のメモリチャンネル検索方向は昇順方向を初期値とする。また、以下の処理は、プログラムの指示に基づいてマイコン１により処理されるものである。
【００７３】
ステップＳ３０１で、マイコン１は、ユーザがメモリチャンネルモード切替キー１２を操作することにより送信されたメモリチャンネルモードの起動動作信号を受信しメモリチャンネルモードを起動する。
ステップＳ３０２で、マイコン１は、記憶部３のチャンネルメモリ１５に記憶されたメモリチャンネル番号が最小のメモリチャンネル「012ch」を読み出し、表示装置４に当該メモリチャンネル番号の表示を行う。本実施の形態では、最小のメモリチャンネル番号「012ch」を初期値としているが、前回メモリモードを終了したときのメモリチャンネルを初期値としてもよい。
【００７４】
ステップＳ３０３で、マイコン１は、エンコーダ１０から操作指示信号の入力があるか否かを判断する。マイコン１は、操作指示信号の入力があると判断する場合、ステップＳ３０４に進む（ステップＳ３０３：ＹＥＳ）。逆に、マイコン１は、操作指示信号の入力がないと判断する場合、ステップＳ３０９に進む。
【００７５】
ステップＳ３０４で、マイコン１は、エンコーダ１０から入力された操作信号が昇順方向の操作指示信号であるか、降順方向の操作指示信号であるかの判定を行う。マイコン１は、昇順方向の操作指示信号であると判断する場合、ステップＳ３０５に進む（ステップＳ３０４：「昇」）。逆に、降順方向の操作指示信号であると判断する場合、ステップＳ３０６に進む（ステップＳ３０４：「降」）。
【００７６】
ステップＳ３０５で、マイコン１は、チャンネルメモリ１５に記憶されたメモリチャンネルを昇順方向に検索し、読み出す。
逆に、ステップＳ３０６では、マイコン１は、チャンネルメモリ１５に記憶されたメモリチャンネルを降順方向に検索し、読み出す。
【００７７】
ステップＳ３０７で、マイコン１は、エンコーダ１０の検索方向即ち昇順方向又は降順方向の別をＲＡＭ２の方向メモリ２０に一時的に記憶する。より詳細には、方向メモリ２０内の昇順方向及び降順方向に区別されたテーブル（不図示）上で、該当する方向にフラグを立てる。
ステップＳ３０８で、マイコン１は、タイマにより一定時間（例えば、２〜３秒）の計時を開始する。
【００７８】
ステップＳ３０９で、マイコン１は、キーからの入力があるか否かを判断する。マイコン１は、キーからの入力があると判断する場合、ステップＳ３１０に進む（ステップＳ３０９：ＹＥＳ）。逆に、マイコン１は、キーからの入力が無いと判断する場合、ステップＳ３１５に進み（ステップＳ３０９：ＮＯ）、ステップＳ３１５で、マイコン１はステップＳ３０８で計時を開始した一定時間（例えば、２〜３秒）を経過するか否かを判断する。マイコン１は、一定時間を経過しないと判断する場合、ステップＳ３０２に戻る（ステップＳ３１５：ＮＯ）。逆に、マイコン１は、一定時間を経過すると判断する場合、ステップＳ３１６に進み（ステップＳ３１５：ＹＥＳ）、ステップＳ３０７で記憶した方向メモリ２０を初期値（昇順）に設定し、その後、ステップＳ３０２に戻る。
【００７９】
ステップＳ３１０で、マイコン１は、キーからの入力が100Upキー１１からの入力であるか否かを判断する。マイコン１は、100Upキー１１からの入力であると判断する場合、ステップＳ３１１に進む（ステップＳ３１０：ＹＥＳ）。逆に、マイコン１は、100Upキー１１からの入力でないと判断する場合、ステップＳ３１７に進む（ステップＳ３１０：ＮＯ）。
【００８０】
ステップＳ３１１で、マイコン１は、ステップＳ３０７で記憶した方向メモリ２０が昇順方向であるか降順方向であるかの判断を行う。マイコン１は、昇順方向であると判断する場合、ステップＳ３１２に進み（ステップＳ３１１：「昇」）、降順方向であると判断する場合、ステップＳ３１３に進む（ステップＳ３１１：「降」）。
【００８１】
ステップＳ３１２で、マイコン１はメモリチャンネルを昇順方向にジャンプして検索を行う。
ステップＳ３１３で、逆に、マイコン１は、メモリチャンネルを降順方向にジャンプして検索する。
【００８２】
ステップＳ３１４で、マイコン１は、ステップＳ３０８で計時を開始したタイマをリセットし、再び所定時間（例えば、２〜３秒）の計時を開始する。
その後、マイコン１はステップＳ３０２に戻り、ステップＳ３１２又はステップＳ３１３で検索を行ったメモリチャンネルの番号を表示装置４に表示する処理を行う。
【００８３】
一方、ステップS３０９で、キーからの入力が無いと判断したマイコン１は（ステップＳ３０９：ＮＯ）、ステップＳ３１５にて、ステップＳ３０８で計時を開始した一定時間が経過したか否かを判断する。マイコン１は一定時間を経過しないと判断する場合は、ステップＳ３０２に戻る。逆に、マイコン１は、一定時間を経過すると判断する場合、ステップＳ３１６に進む。
【００８４】
ステップＳ３１６で、マイコン１は、ステップＳ３０７で記憶した方向メモリ２０を初期値（昇順）に設定し、その後、ステップＳ３０２に戻る。
【００８５】
一方、ステップＳ３１０で入力が100Upキー１１からのものではないと判断したマイコン１は、ステップＳ３１７で、当該入力がメモリチャンネルモードの終了を指示する信号であるか否かを判断する。マイコン１は、入力がメモリチャンネルモード終了の指示信号であると判断する場合、ステップＳ３１８に進み（ステップＳ３１７：ＹＥＳ）、メモリチャンネルモードを終了する。
その後、ステップＳ３１９で、マイコン１は、ステップＳ３０７で一時的に記憶した方向メモリ２０を初期値（昇順方向）に設定し直す処理を行う。
【００８６】
逆に、マイコン１は、ステップＳ３１７で、入力がチャンネルモード終了の指示信号でないと判断する場合、ステップＳ３２０に進み（ステップＳ３１７：ＮＯ）、当該キー（例えば、ボリュームキー３０やバックライトキー３１）に割り当てられた処理を実行する。その後、ステップＳ３０２に戻る。
【００８７】
以上、第３の実施形態における無線通信機１００によれば、エンコーダ１０の検索方向を記憶し、その後、100Upキー１１からの入力信号を検出すると、エンコーダ１０の検索方向に基づいて昇順方向又は降順方向にジャンプして検索を行うため、100Upキー１１に２つの機能を割り当てることができ、無線通信機１００の入力キーの数を低減させることができる。
【００８８】
また、100Upキー１１が昇順又は降順方向にジャンプ検索する際の基準となる方向メモリ２０に記憶された検索方向は、エンコーダ１０の検索方向と同じとなるため、操作を簡便且つ観念的に行うことができる。
【００８９】
また、方向メモリ２０に100Upキー１１の検索方向を記憶した後、一定時間（例えば、２〜３秒）経過後にこの検索方向のデータを初期値に自動的に切り替えるようになっている。このため、無線通信機１００の使用時に、エンコーダ１０の操作をしないで100Upキー１１を操作する場合は、ジャンプ方向が（原則として）常に一定方向に安定させることができる。これにより、ユーザが従前にエンコーダ１０を操作しないで100Upキー１１のみを使用してメモリチャンネルの切替えを所望する場合、切替方向が原則として昇順方向であることを認識しながら100Upキー１１を操作することができる。従って、昇順方向へのジャンプを所望する場合にはそのまま100Upキー１１を操作すればよく、降順方向へのジャンプを所望する場合には瞬間的にエンコーダ１０を降順方向に回転させ、その後即座に100Upキー１１を操作すればよいという観念的な操作を行うことができる。
【００９０】
更に、上述の一定時間以内に100Upキー１１からの入力信号を検出するとタイマをリセットするため、ユーザが、100Upキー１１を使用して一連のメモリチャンネルの切替え作業を行っている最中に100Upキー１１の検索方向が変化（現在の方向フラグを取消して初期値に戻すこと）することがなく、実用上の利便性が向上する。
【００９１】
なお、本発明を実施するための第１から第３の実施形態について説明したが、本発明は上記種々の例に限定されるものではない。
例えば、上記実施の形態では、エンコーダ１０や100Upキー１１等のユーザインターフェースを無線通信機１００の本体に設けた例を説明したが、これらが無線通信機１００の本体と有線又は無線で接続された外部機器（例えば、リモートコントロール装置等の遠隔操作装置）から送信される外部信号に基づいて100Upキー１１のジャンプ方向を切り替えるように構成することも当然に可能である。特に、リモートコントロール装置では、設置するキーの数の制限や観念的な操作を要求するため有効である。
【図面の簡単な説明】
【００９２】
【図１】本発明を実施するための第１の実施形態における無線通信機の機能的構成を示したブロック図である。
【図２】本発明を実施するための第１の実施形態における無線通信機の動作を示したフロー図である。
【図３】本発明を実施するための第２の実施形態における無線通信機の動作を示したフロー図である。
【図４】本発明を実施するための第３の実施形態における無線通信機の動作を示したフロー図である。
【図５】従来の無線通信機の処理を示したフロー図である。
【符号の説明】
【００９３】
１  マイコン（マイクロコンピュータ）
２  ＲＡＭ
３  記憶部
４  表示装置
５  操作部
６  送受信回路
７  アンテナ
８  スピーカ
９  マイク
１０  エンコーダ
１１  100Upキー
１２  メモリチャンネルモード切替キー
１３  決定キー
１５  チャンネルメモリ
２０  方向メモリ
３０  ボリュームキー
３１  バックライトキー
１００  無線通信機
【図１】
2007304780.tif 000003
【図２】
2007304780.tif 000004
【図３】
2007304780.tif 000005
【図４】
2007304780.tif 000006
【図５】
2007304780.tif 000007